(57)【特許請求の範囲】
【請求項１】
所定幅のグルーブトラック間隔GPを有し、前記グルーブトラック上にのみ情報を記録可能な録再用光ディスクと、
トラック上に情報がピットによって記録されており、前記グルーブトラック間隔GPとは異なる所定幅のトラック間隔TPを有する再生専用光ディスクのいずれかを選択的に駆動し、
前記録再用光ディスク若しくは前記再生専用光ディスクから、前記情報の再生を、主ビーム及び、第1並びに第2のビームからなる副ビームを前記光ディスクに照射することにより行う光ディスク装置であって、
前記主ビーム及び前記副ビームを前記光ディスクに照射するためのビーム照射手段と、
前記ビーム照射手段による主ビーム及び副ビームのうち、前記主ビームの前記光ディスクによる反射光を受光する第1の受光手段と、
前記ビーム照射手段による主ビーム及び副ビームのうち、前記副ビームである第1及び第2のビームの前記光ディスクによる反射光を受光する第2，第3の受光手段と、
前記第1の受光手段、前記第2の受光手段及び前記第3の受光手段からの出力に基づいて、前記主ビームを所定のトラックにトラッキング制御するためのトラッキングエラー信号を得る第1のトラッキングエラー信号検出手段と、
前記第1の受光手段からの出力に基づいて、前記主ビームを所定のトラックにトラッキング制御するためのトラッキングエラー信号を得る第2のトラッキングエラー信号検出手段と、
前記第2の受光手段及び前記第3の受光手段と前記第1の受光手段とからの出力に基づいて、前記第1の受光手段からの反射光に含まれる前記主ビームが照射されている所定トラックに隣接するトラックからのクロストークをキャンセルするクロストークキャンセル手段と
を備え、
前記ビーム照射手段を、前記副ビームである第1及び第2のビームが、前記主ビームが照射している所定のトラックの中心から、前記光ディスクの半径方向にGP/2以上TP未満に照射されるように構成することを特徴とする光ディスク装置。
【請求項２】
前記録再用光ディスクを再生する場合には、前記第2のトラッキングエラー信号検出手段によるトラッキングエラー信号に基づいてトラッキング制御を行い、
前記再生専用光ディスクを再生する場合には、前記第1のトラッキングエラー信号検出手段によるトラッキングエラー信号に基づいてトラッキング制御を行なうとともに、前記クロストークキャンセル手段によるクロストークキャンセルを行うことを特徴とする請求項１記載の光ディスク装置。
【請求項３】
前記録再用光ディスクの前記グルーブトラック間隔GPと、
前記再生専用光ディスクの前記トラック間隔TPとは、GP>TPとの関係となっていることを特徴とする請求項１若しくは２記載の光ディスク装置。
【請求項４】
前記第1及び前記第2の副ビームの前記主ビームに対する前記光ディスクの半径方向の照射位置をdとすると、
max(0.2GP，0.5TP) ≦ d ≦ min(0.8GP，1.5TP)
(但し、maxは最大値、minは最小値を示す)
を満たすことを特徴とする請求項１若しくは２記載の光ディスク装置。
【発明の詳細な説明】
【０００１】
【発明の属する技術分野】
本発明は、３ビーム光学系を用いたトラッキングとクロストークキャンセル機能を有し、再生専用光ディスクと記録再生用光ディスクの両方を再生する光ディスク装置に関する。
【０００２】
【従来の技術】
現在、光ディスクとしては、大きくＣＤとＤＶＤとがあり、この内ＤＶＤは、大きく２種類あり、録再用としてＤＶＤ−ＲＡＭ，再生専用としてＤＶＤ−ＲＯＭ，ＤＶＤ−Ｖｉｄｅｏに分かれている。そして、例えば、ＲＡＭ系では、相変化記録のため、クロスイレーズの影響により、トラックピッチ（ＧＰ）を詰めることに困難が伴う。これに対して、ＲＯＭ系では、マスタリングにより作成するため、ＲＡＭ系のようにクロスイレーズの影響はなく、クロストークキャンセル（ＣＴＣ）によりトラックピッチ（ＴＰ）を詰めることが可能である。このため、ＲＡＭ系，ＲＯＭ系の両方において、同様に更なる高密度化を図ると、ＧＰとＴＰが異なるものとなってしまう可能性が高い。
【０００３】
そして、これらＧＰとＴＰが異なる光ディスクを、１台の光ディスク装置で記録若しくは再生できることが要求されるが、これを実現しようとすると、通常、録再用と再生専用用との２系統の光学系が必要となってしまうという問題点があった。
【０００４】
なお、特開平９−１７１６２０号公報には、主ビームと主ビームの両隣に位置する２つの副ビームの３つのビームを光ディスクの記録再生とその隣接位置に照射し、各ビームの反射光をそれぞれ光検出器で受光し、各副ビームの反射光に基づいてトラッキングサーボ動作（３ビーム法）を行うとともに、各副ビームの反射光（ＲＦ信号）信号に基づいて主ビームの反射光信号（ＲＦ再生信号）中に含まれる隣接トラックの信号成分を除去する、いわゆる、クロストークキャンセル（以下、ＣＴＣと略す）を行う光ディスク装置が記載されている。
【０００５】
そして、該公報には、いわゆる３ビーム法のトラッキング機能とＣＴＣ機能を両立させるように、副ビームを隣接トラックの中心から内側もしくは外側に１／４トラックピッチ分だけずらした位置に配置し、これにより、ピットによる再生専用光ディスクに対して、トラッキングとＣＴＣを同時に行うことを想定している。
【０００６】
しかしながら、再生専用光ディスクのみしか想定しておらず、録再用光ディスクは考慮されておらず、トラックピッチが互いに異なる録再用光ディスクと再生専用光ディスクとに対して、１台の光ディスク装置で情報の記録若しくは再生を行う場合には、やはり２系統の光学系を設ける必要があるという問題点があった。
【０００７】
【発明が解決しようとする課題】
上述したように、従来の光ディスク装置では、トラックピッチが互いに異なる録再用光ディスクと再生専用光ディスクとに対して、１台の光ディスク装置で情報の記録若しくは再生を行う場合には、２系統の光学系を設ける必要があるという問題点があった。
【０００８】
本発明は、上述した問題点を解決し、同一光学系で、トラックピッチが互いに異なる録再用光ディスクと再生専用光ディスクとへの情報の記録若しくは再生を行うことができる光ディスク装置を提供することを目的とする。
【０００９】
【課題を解決するための手段】
上記目的を達成するために、本発明の光ディスク装置では、所定幅のグルーブトラック間隔GPを有し、前記グルーブトラック上にのみ情報を記録可能な録再用光ディスクと、
トラック上に情報がピットによって記録されており、前記グルーブトラック間隔GPとは異なる所定幅のトラック間隔TPを有する再生専用光ディスクのいずれかを選択的に駆動し、前記録再用光ディスク若しくは前記再生専用光ディスクから、前記情報の再生を、主ビーム及び、第1並びに第2のビームからなる副ビームを前記光ディスクに照射することにより行う光ディスク装置であって、前記主ビーム及び前記副ビームを前記光ディスクに照射するためのビーム照射手段と、前記ビーム照射手段による主ビーム及び副ビームのうち、前記主ビームの前記光ディスクによる反射光を受光する第1の受光手段と、前記ビーム照射手段による主ビーム及び副ビームのうち、前記副ビームである第1及び第2のビームの前記光ディスクによる反射光を受光する第2，第3の受光手段と、前記第1の受光手段、前記第2の受光手段及び前記第3の受光手段からの出力に基づいて、前記主ビームを所定のトラックにトラッキング制御するためのトラッキングエラー信号を得る第1のトラッキングエラー信号検出手段と、前記第1の受光手段からの出力に基づいて、前記主ビームを所定のトラックにトラッキング制御するためのトラッキングエラー信号を得る第2のトラッキングエラー信号検出手段と、前記第2の受光手段及び前記第3の受光手段と前記第1の受光手段とからの出力に基づいて、前記第1の受光手段からの反射光に含まれる前記主ビームが照射されている所定トラックに隣接するトラックからのクロストークをキャンセルするクロストークキャンセル手段とを備え、前記ビーム照射手段を、前記副ビームである第1及び第2のビームが、前記主ビームが照射している所定のトラックの中心から、前記光ディスクの半径方向にGP/2以上TP未満に照射されるように構成することを特徴とする。
【００１０】
そして、同一の３ビーム光学系で、録再用光ディスクの場合には、ＤＰＰ（Ｄｉｆｆｅｒｅｎｔｉａｌ  Ｐｕｓｈ  Ｐｕｌｌ）（位相差検出）方式のトラッキングが可能で、再生専用光ディスクの場合には、クロストークキャンセラの効果を得ることができる。
【００１１】
また、前記録再用光ディスクを再生する場合には、前記第２のトラッキングエラー信号検出手段によるトラッキングエラー信号に基づいてトラッキング制御を行い、
前記再生専用光ディスクを再生する場合には、前記第１のトラッキングエラー信号検出手段によるトラッキングエラー信号に基づいてトラッキング制御を行なうとともに、前記クロストークキャンセル手段によるクロストークキャンセルを行うことを特徴とする。
【００１２】
また、前記録再用光ディスクの前記グルーブトラック間隔ＧＰと、
前記再生専用光ディスクの前記トラック間隔ＴＰとは、ＧＰ＞ＴＰとの関係となっていることを特徴とする。
【００１３】
また、前記第１及び前記第２の副ビームの前記主ビームに対する前記光ディスクの半径方向の照射位置をｄとすると、
ｍａｘ（０．２ＧＰ，０．５ＴＰ）  ≦  ｄ  ≦  ｍｉｎ（０．８ＧＰ，１．５ＴＰ）
（但し、ｍａｘは最大値、ｍｉｎは最小値を示す）
を満たすことを特徴とする。
【００１４】
そして、ｄを前記範囲とすると、録再光ディスクに対するＤＰＰを用いたトラッキングと、再生専用光ディスクに対するクロストークキャンセルとの両方を行うことができる。
【００１５】
【発明の実施の形態】
以下、図面を参照しながら本発明の実施の形態について説明する。
【００１６】
図１は、本発明の実施形態に係わる光ディスク装置の構成を表すブロック図であり、その動作について説明する。
【００１７】
図１において、光ディスク１０１はグルーブトラック上にマークを記録するグルーブ記録タイプの録再用光ディスク、もしくはピットにより情報があらかじめ記録された再生専用光ディスクであり、光ピックアップ１０２は主レーザービームから回折格子を用いて２本の副レーザービームを生成する３ビームピックアップヘッドであり、後述するように、副ビームスポットＳ１、Ｓ２は主ビームスポットＳ０の照射位置に対して、光ディスク１０１の半径方向に一定幅ｄだけずれた位置に対称に照射される。
【００１８】
なお、図２は、グルーブ記録タイプの録再用光ディスクと、ピットによる再生専用光ディスクに照射されるビームスポットＳ０〜Ｓ２の照射位置と、グルーブ間ピッチあるいはトラックピッチとの関係を示した図である。
【００１９】
ここで、グルーブトラック２０１に情報を図示しないマークで記録可能な録再用光ディスクのグルーブ間ピッチＧＰと、ピット２０２により情報が記録されている再生専用光ディスクのトラックピッチＴＰは異なっており、ＴＰ＜ＧＰの関係となっている。なお、グルーブ間ピッチＧＰ及びトラックピッチＴＰは、ともに光ディスク１０１の半径方向の距離を示し、所定のトラックの光ディスク１０１の接線方向のグルーブ，ピットの中心から、光ディスク１０１の半径方向に、隣のグルーブ，ピットの光ディスク１０１の接線方向のグルーブ，ピットの中心までの間隔に相当する。
【００２０】
そして、副ビームスポットＳ１、Ｓ２は主ビームスポットＳ０の照射位置に対して光ディスク１０１の半径方向に、ＧＰ／２以上ＴＰ未満の位置ｄだけずれた位置に照射する。なお、副ビームスポットＳ１，Ｓ２の主ビームスポットＳ０の照射位置からｄだけずれた位置に照射することは、例えば、回折格子のパターンを変化させることに可能である。また、回折格子を用いない場合には、２枚のハーフミラーを用いて２つの副ビームを生成し、この副ビームを光ディスク１０１に導くためのミラーの配置をずらすことにより可能となる。
【００２１】
再び図１を用いて光ディスク装置の動作を説明すると、光ディスク１０１で反射された主ビームの光スポットＳ０、２つの副ビームの光スポットＳ１，Ｓ２による反射光は、３ビーム受光部１０３において、図３に示すようなトラックの接線方向を軸に２分割もしくは４分割された４分割ＰＤ（Ｐｈｏｔｏ  Ｄｅｔｅｃｔｏｒ）３０１、２分割ＰＤ３０３、３０２によってそれぞれ検出され、４分割ＰＤフォトディテクタ３０１、２分割ＰＤ３０３、３０２の各分割出力Ａ１〜ＦからＳ０差信号（（Ａ１＋Ａ２）−（Ｂ１＋Ｂ２））、Ｓ１差信号（Ｃ−Ｄ）、Ｓ２差信号（Ｅ−Ｆ）、およびＲＦ信号帯域を持ったＳ０和信号（Ａ１＋Ａ２＋Ｂ１＋Ｂ２）、Ｓ１和信号（Ｃ＋Ｄ）、Ｓ２和信号（Ｅ＋Ｆ）を生成する。なお、図３は、３ビームスポットＳ０，Ｓ１，Ｓ２の光ディスク１０１による反射光を受光するフォトディテクタの構造を示す図である。
【００２２】
以下、光ディスク１０１が、録再用か再生専用かによる主ビームスポットＳ０の所定トラックへのトラッキング制御，再生信号検出の違いについて説明する。
【００２３】
まず、光ディスク１０１が図２（ａ）に示したようなグルーブ記録タイプの録再用光ディスクをトラッキングする場合には、３ビーム受光部１０３のうち、Ｓ０差信号（（Ａ１＋Ａ２）−（Ｂ１＋Ｂ２））、Ｓ１差信号（Ｃ−Ｄ）、Ｓ２差信号（Ｅ−Ｆ）をＤＰＰ（Ｄｉｆｆｅｒｅｎｔｉａｌ  Ｐｕｓｈ  Ｐｕｌｌ：位相差検出）信号生成部１０４に入力する。図４は、ＤＰＰ方式によるＴＥ（Ｔｒａｃｋｉｎｇ  Ｅｒｒｏｒ）信号を生成する処理ブロック図である。図４において、副ビームの光スポットＳ１，Ｓ２に対応する差信号ＰＰ１、ＰＰ２は、ゲイン調整アンプ４０１により差信号ＰＰ１、ＰＰ２が同等の振幅になるようにＰＰ２がＧ１倍され、加算器４０２によって加算され、加算値（ＰＰ１＋Ｇ１＊ＰＰ２）になる。加算器４０２による加算値（ＰＰ１＋Ｇ１＊ＰＰ２）は、ゲイン調整アンプ４０３により主ビームの光スポットＳ０に対応する差信号ＰＰ０と同等の振幅になるように（ＰＰ１＋Ｇ１＊ＰＰ２）がＧ２倍され、Ｇ２＊（ＰＰ１＋Ｇ１＊ＰＰ２）となる。そして、減算器４０４にて信号ＰＰ０からゲイン調節アンプ４０３による出力であるＧ２＊（ＰＰ１＋Ｇ１＊ＰＰ２）が減算され、差動プッシュプル（ＤＰＰ）法によるトラッキング誤差信号（ＴＥ信号）（ＤＰＰ信号）が得られる。このＤＰＰ信号がセレクタ１０７を介してＴＥ信号としてＤＰＰ信号がサーボコントローラ１０９に入力され、サーボコントローラ１０９により光ピックアップ１０２が制御されることにより、主ビームスポットＳ０のトラッキングが行われる。なお、セレクタ１０７の切り換えは、例えば光ディスク１０１が光ディスク装置にローディングされた際に、リードインにあらかじめ記録されている光ディスク１０１が録再用か再生専用かを示す識別情報により、グルーブ記録タイプの録再用光ディスクかピットにより情報が記録された再生専用光ディスクかを検出し、あらかじめ切り換えておいてもよい。そして、図４に示したＤＰＰ方式では、光ピックアップ内の対物レンズシフトや光ディスク１０１の傾いた場合に、反射光を受光する各フォトディテクタ上での光スポットずれに起因するオフセットが同相で発生するため、オフセット成分をキャンセルできる。
【００２４】
一方、光ディスク１０１が図２（ｂ）に示したようなピットにより情報があらかじめ記録された再生専用光ディスクをトラッキングする場合には、３ビーム受光部１０３のうち、４分割ＰＤ３０１からの４分割出力Ａ１，Ａ２，Ｂ１，Ｂ２の４個の信号出力から、通常のＤＰＤ（Ｄｉｆｆｅｒｅｎｔｉａｌ  Ｐｈａｓｅ  Ｄｅｔｅｃｔｉｏｎ：位相差検出）信号生成部１０５によるトラッキングエラー信号が生成され、セレクタ１０７を介してＤＰＤ信号がサーボコントローラ１０９に入力されＤＰＤトラッキングが行われる。なお、セレクタ１０７の切り換えは上記と同様である。
【００２５】
次に、光ディスク１０１が録再用か再生専用かによる再生信号検出の違いについて説明する。再生信号検出については、光ディスク１０１が録再用か再生専用かにより、ＣＴＣ（Ｃｒｏｓｓ  Ｔａｌｋ  Ｃａｎｃｅｌ）処理部１０６を用いるか否かが異なる。３ビーム受光部１０３から、Ｓ０和信号（Ａ１＋Ａ２＋Ｂ１＋Ｂ２）、Ｓ１和信号（Ｃ＋Ｄ）、Ｓ２和信号（Ｅ＋Ｆ）がＣＴＣ処理部１０６に入力される。
【００２６】
光ディスク１０１がグルーブ記録タイプの録再用の場合、ＣＴＣ処理を行わないため、ＣＴＣ処理部１０６を介することなく、セレクタ１０８によって３ビーム受光部１０３からのＳ０和信号（Ａ１＋Ａ２＋Ｂ１＋Ｂ２）をＲＦ再生信号としてそのまま出力する。なお、セレクタ１０８もセレクタ１０７と同様に光ディスク１０１が録再用か再生専用かによりあらかじめ切り換えられるものである。
【００２７】
また、光ディスク１０１がピットにより情報が記録された再生専用場合には、Ｓ０和信号（Ａ１＋Ａ２＋Ｂ１＋Ｂ２）、Ｓ１和信号（Ｃ＋Ｄ）、Ｓ２和信号（Ｅ＋Ｆ）の３チャンネルの信号を使用してＣＴＣ処理部１０６によりＣＴＣ処理を行う。
【００２８】
図５は、ＣＴＣ処理を行うＣＴＣ処理部１０６の処理ブロック図である。主ビームスポットＳ０、副ビームスポットＳ１、Ｓ２の空間的配置は、図２に示したように、トラックに沿った方向にずれているため、Ｓ０和信号、Ｓ１和信号、Ｓ２和信号の３チャンネルの再生信号間に発生する位相ずれを調整するために、Ｓ０和信号及びＳ１和信号を遅延回路５０１、５０２で調整する。次に、遅延回路５０１で位相調整されたＳ１和信号とＳ２和信号を、イコライザ５０３、５０４によってそれぞれ独立に周波数特性が補正するが、この補正は光学的にＳ０和信号に洩れ込むＳ１和信号、Ｓ２和信号のクロストークの周波数成分に近くなるように補正される。そして、イコライザ５０３，５０４により周波数補正されたＳ１和信号、Ｓ２和信号をＳ０和信号から加算器５０５により減算処理することで、主ビームスポットＳ０による信号は隣接トラックからのクロストークが抑圧されたものとなり、クロストークが抑圧されたＲＦ信号を得ることができる。なお、本実施の形態では、図５に示したように、一般的に知られているＣＴＣ処理を例にして説明したが、これに限るものではなく、例えば、特開平６−３４２５２２号公報に示されているように、主ビームスポットと副ビームスポットとのビーム間隔を測定しこの測定結果に基づいて遅延量を変化させるようなＣＴＣ処理でもよい。
【００２９】
次に、本実施の形態による効果について説明する。
【００３０】
通常のクロストークキャンセラでは、副ビームスポットによる隣接トラックからの再生信号を最大限得るために、副ビームスポットＳ１、Ｓ２を隣接トラックのトラック中心付近を照射するが、隣接トラックのトラック中心からトラック半径方向にずれた位置に照射してもある一定のＣＴＣの効果を得ることができる。但し、副ビームスポットＳ１、Ｓ２の隣接トラック中心からずれ量がトラックピッチＴＰの１／２より大きくなってしまうと、よりずれた側にあるトラックの信号成分が隣接トラックの信号成分より大きくなってしまうために、効果が著しく落ちると考えられ、副ビームスポットＳ１、Ｓ２の照射位置は隣接トラック中心を中心に±ＴＰ／２の範囲内であれば、一定の効果を得ることが可能であるという発想に基づくものである。
【００３１】
また、通常のＤＰＰ方式によるトラッキング誤差信号（ＤＰＰ信号）検出の場合、副ビームスポットＳ１，Ｓ２は、主ビームスポットＳ０が再生するグルーブトラックに隣接するグルーブトラックの中間位置（ＧＰ／２）付近に照射される（図２（ａ）のＧＰ／２）が、上記位置からトラック半径方向にある程度ずれた位置に照射してもＤＰＰ方式によるトラッキング誤差信号検出が可能である。
【００３２】
以下、上記どの程度までずれた位置に照射してもトラッキング誤差信号が検出可能かグラフを示して説明する。
【００３３】
図６は、横軸にトラックオフセット量、縦軸にＤＰＰ信号振幅を示したグラフ（計算値）であり、副ビームスポット位置の変化に対するＤＰＰ信号特性変化を示している。なお、図６は、図２（ａ）において主ビームスポットＳ０がグルーブトラック２０１−１の中心にオントラックし、副ビームスポットＳ２がグルーブトラック２０１−１，２０１−２間の中央（つまり、ＧＰ／２の位置）に照射されている状態が、縦軸，横軸とも０の位置に相当する。これは、トラッキングエラー信号であるＤＰＰ信号振幅が０となり、主ビームスポットＳ０，副ビームスポットＳ２ともにオントラック状態であることを示す。そして、この状態で主ビームスポットＳ０，副ビームスポットＳ２を同じように光ディスク１０１の半径方向に移動（図６において横軸方向への移動）させた場合の縦軸のＤＰＰ信号振幅の変化を示したのが、０のグラフとなる。そして、±０．１ＧＰは主ビームスポットＳ０の照射位置は０のグラフの状態と同じで、副ビームスポットＳ２の照射位置のみ０のグラフの状態から０．１ＧＰ（ＧＰの１０％）ほど光ディスク１０１の半径方向にずらし、この状態で、主ビームスポットＳ０と副ビームスポットＳ２を同じように光ディスク１０１の半径方向に移動させた場合のＤＰＰ信号振幅の変化を示したものである。なお、±０．２ＧＰ及び±０．３ＧＰのグラフも、±０．１ＧＰと同様に、それぞれＧＰの２０％，３０％副ビームスポットＳ２の照射位置を移動させた場合のグラフである。
【００３４】
そして、図６より明らかなように、副ビームスポットＳ２の照射位置が、グルーブトラック２０１の中間位置（ＧＰ／２）の場合（つまりグルーブトラック２０１−１，２０１−２の中間位置）が最も振幅が得られ、その位置からずれた場合でもＤＰＰ信号振幅が小さくなるものの反射光を受光する各フォトディテクタ上での光スポットずれに起因するオフセットを抑制できており、副ビームスポットＳ１、Ｓ２の照射位置がグルーブトラック間の中間位置（ＧＰ／２）から±０．３ＧＰの範囲であれば、十分良好なＤＰＰ信号を得ることが可能である。これは、副ビームスポットＳ２を±０．５ＧＰ（つまりグルーブトラック２０１−２にオントラックする状態）までずらした状態（つまり０のグラフのグルーブトラック２０１−１，２０１−２間から移動させて、グルーブトラック２０１−２にオントラックした状態）で照射すると、ＤＰＰ信号振幅は０となってしまうが、この状態に比べて、±０．３ＧＰの範囲であれば、ある程度ＤＰＰ信号振幅が得られていることに起因するものである。
【００３５】
そして、本実施の形態では、図２に示したように、グルーブ記録タイプの録再用光ディスクのグルーブ間ピッチＧＰと、ピットにより情報が記録された再生専用光ディスクのトラックピッチＴＰが異なっており、ＴＰ＜ＧＰを満たす場合に、副ビームスポットの照射位置ｄを、
式ｍａｘ（０．２ＧＰ，０．５ＴＰ）  ≦  ｄ  ≦  ｍｉｎ（０．８ＧＰ，１．５ＴＰ）
（但し、ｍａｘは最大値、ｍｉｎは最小値を示す）
を満たすようにすることで、グルーブ記録タイプの録再用光ディスクを再生する場合のＤＰＰトラッキングと、再生専用光ディスクを再生する場合のＣＴＣ処理を一つの３ビーム光学系で実現することができる。なお、上記式において、ＴＰの範囲である０．５ＴＰ〜１．５ＴＰは、副ビームスポットＳ２が主ビームスポットＳ０が照射しているトラックの隣接トラックに照射される範囲を示し、ＧＰの範囲である０．２ＧＰ〜１．５ＧＰは、図６で明らかなように、ＤＰＰ信号振幅が得られない±０．５ＧＰから許容可能な±０．３ＧＰの範囲を取ったものであり、（０．５−０．３）ＧＰ＝０．２ＧＰ，（０．５＋０．３）ＧＰ＝０．８ＧＰより算出されるものである。
【００３６】
なお、図６は、図２に示すように、３ビームでの再生を想定し、主ビームスポットＳ０と副ビームスポットＳ２との関係を示したグラフであり、０のグラフの場合、ＤＰＰ信号振幅が最大となるのは横軸０．２５ＧＰ（０．５ＧＰの半分）の時であり、この時の振幅は２となっている。これに対して、主ビームスポットＳ０を図２（ａ）のグルーブトラック２０１−１に照射した場合、通常のプッシュプル方法ではほぼ半分の１程度となる。そして、±０．２ＧＰの範囲であれば、通常のプッシュプル方法により得られる信号振幅以上の振幅が得られていることから、±０．２ＧＰの範囲でも良い。
【００３７】
なお、本実施の形態では、ピットにより情報があらかじめ記録された再生専用光ディスクを再生する場合に、ＤＰＤによるトラッキングを例にとって説明したが、これに限るものではない。例えば、ピット深さが浅く、プッシュプル信号が十分確保できる場合には、上述のＤＰＰ方式によるトラッキングで実現することも可能である。
【００３８】
また、再生専用光ディスクはピットにより情報が記録されているものに限るものではなく、相変化を利用したマークにより記録されていてもよい。
【００３９】
さらに、録再用光ディスクとして、グルーブトラック上のみにマークを記録するいわゆるグルーブ記録タイプの光ディスクについて説明したが、ランド／グルーブ構造でランド，グルーブの両方に情報を記録するタイプの光ディスクでもよい。
【００４０】
【発明の効果】
以上説明したように、本発明の光ディスク装置によれば、同一光学系で、トラックピッチが互いに異なる録再用光ディスクと再生専用光ディスクとへの情報の記録若しくは再生を行うことができる。
【図面の簡単な説明】
【図１】本発明の光ディスク装置のブロック図。
【図２】本発明の実施の形態による光ディスク装置における３ビームスポットの光ディスク上の照射位置を示す図。
【図３】３ビームスポットの光ディスクによる反射光を受光するフォトディテクタの構造を示す図。
【図４】ＤＰＰ方式によるＴＥ信号生成の処理ブロック図。
【図５】ＣＴＣ処理を行うＣＴＣ処理部の処理ブロック図。
【図６】副ビームスポットの照射位置に対するＤＰＰ信号の変化を示すグラフ。
【符号の説明】
１０１…光ディスク
１０２…光ピックアップ
１０３…３ビーム受光部
１０４…ＤＰＰ信号生成部
１０５…ＤＰＤ信号生成部
１０６…ＣＴＣ処理部
１０７，１０８…セレクタ
１０９…サーボコントローラ
２０１，２０１−１，２０１−２…グルーブトラック
２０２…ピット
３０１…４分割ＰＤ
３０２，３０３…２分割ＰＤ
４０１，４０３…ゲイン調節アンプ
４０２，５０５…加算器
４０４…減算器
５０１、５０２…遅延回路
５０３、５０４…イコライザ
【図１】
0003571315.tif 000002
【図２】
0003571315.tif 000003
【図３】
0003571315.tif 000004
【図４】
0003571315.tif 000005
【図５】
0003571315.tif 000006
【図６】
0003571315.tif 000007